(57)【要約】【課題】屋外電子広告からＩＣカードの持つメモリ識別データへ関連付けて配布したクーポンを広告出稿した電子商取引サイトが正しくクーポン取得したことを認証できる。【解決手段】  広告データでクーポンを配布するときクーポン配布鍵データを鍵生成部２３で生成し、クーポン配布鍵データをＩＣカード５０に書き込み、クーポン管理装置２０でメモリ識別データとクーポン配布鍵データを関連付けて管理し、ユーザ端末装置３０で商品の購入操作が行われたとき、ユーザ端末装置３０からＩＣカード５０に格納されているメモリ識別データとクーポン配布鍵データとをクーポン管理装置２０に送信し、クーポン管理装置２０で管理しているメモリ識別データとクーポン配布鍵データと一致したとき、クーポン保持データを電子商取引サイト４０に送信し、クーポンを反映させて決済処理を行う。【選択図】  図１
2008102718.tif 000002
【特許請求の範囲】
【請求項１】
広告データを表示する表示手段と、
上記広告データで告知されたクーポンを配布するとき発行するクーポン配布鍵データを生成する鍵生成手段と、
上記表示手段と一体又は上記表示手段の近傍に設けられ、メモリに格納されたメモリ識別データを読み取ると共に、上記鍵生成手段で生成されたクーポン配布鍵データを上記メモリ識別データを読み取ったメモリに書き込む第１の通信手段と、
上記第１の通信手段で読み取ったメモリ識別データに上記鍵生成手段で生成したクーポン配布鍵データを関連付けて管理するクーポン管理手段と、
上記広告データで広告された商品を購入することができる電子商取引サイトと、
上記電子商取引サイトにアクセスできるユーザ端末と、
上記ユーザ端末に接続され、上記メモリに格納されている上記メモリ識別データと上記クーポン配布鍵データとを読み出す第２の通信手段とを備え、
上記電子商取引サイトにアクセスしているユーザ端末で商品の購入操作が行われたとき、上記ユーザ端末は、上記第２の通信手段で読み出したメモリ識別データとクーポン配布鍵データとを上記クーポン管理手段に送信し、
上記クーポン管理手段は、管理している上記メモリ識別データと上記クーポン配布鍵データと、上記ユーザ端末から送信されたメモリ識別データとクーポン配布鍵データとを照合し、一致したとき、上記クーポン保持データを上記電子商取引サイトに送信し、上記電子商取引サイトがクーポンを反映させて決済処理を行うことができるようにするデータ処理システム。
【請求項２】
上記第１の通信手段及び／又は第２の通信手段は、非接触通信手段である請求項１記載のデータ処理システム。
【請求項３】
上記鍵生成手段は、上記クーポン管理手段側に設けられており、上記第１の通信手段よりメモリ識別データを受信したとき、上記クーポン配布鍵データを生成し、
上記クーポン管理手段は、この生成したクーポン配布鍵データを、上記メモリ識別データに関連付けて管理すると共に上記第１の通信手段を介して上記メモリに書き込むようにする請求項１記載のデータ処理システム。
【請求項４】
上記鍵生成手段は、上記表示手段側に設けられており、
上記表示手段の鍵生成手段は、生成したクーポン配布鍵データを上記第１の通信手段を介して上記メモリに書き込むようにし、
上記クーポン管理手段に、上記クーポン配布鍵データと上記メモリ識別データとを関連付けて格納するようにする請求項１記載のデータ処理システム。
【請求項５】
２つ目以降クーポンを取得するとき、第１の通信手段は、上記メモリより上記メモリ識別データと既に保存されている上記クーポン配布鍵データを読み出し、上記クーポン管理手段に送信し、
上記クーポン管理手段は、管理している上記メモリ識別データと上記クーポン配布鍵データと、上記第１の通信手段より送信された上記メモリ識別データと上記クーポン配布鍵データとを照合し、一致したとき、上記鍵生成手段で新たに生成したクーポン配布鍵データに更新すると共に上記第１の通信手段を介して上記メモリに格納されている上記クーポン配布鍵データを更新する請求項１記載のデータ処理システム。
【請求項６】
広告データを表示手段に表示するステップと、
上記広告データで告知されたクーポンを配布するときクーポン配布鍵データを鍵生成手段で生成するステップと、
第１の通信手段で、メモリに格納されたメモリ識別データを読み取ると共に上記鍵生成手段で生成されたクーポン配布鍵データを上記メモリ識別データを読み取ったメモリに書き込むステップと、
クーポン管理手段に上記第１の通信手段で読み取ったメモリ識別データに上記鍵生成手段で生成したクーポン配布鍵データを関連付けて管理するステップと、
電子取引サイトにアクセス可能な上記ユーザ端末に接続された第２の通信手段によって、上記メモリに格納されている上記メモリ識別データと上記クーポン配布鍵データとを読み出すステップと、
上記電子商取引サイトにアクセスしているユーザ端末で商品の購入操作が行われたとき、上記ユーザ端末で、上記第２の通信手段で読み出したメモリ識別データとクーポン配布鍵データとを上記クーポン管理手段に送信するステップと、
上記クーポン管理手段で、管理している上記メモリ識別データと上記クーポン配布鍵データと、上記ユーザ端末から送信されたメモリ識別データとクーポン配布鍵データとを照合するステップと、
管理している上記メモリ識別データと上記クーポン配布鍵データと、上記ユーザ端末から送信されたメモリ識別データとクーポン配布鍵データとが一致したとき、上記クーポン保持データを上記電子商取引サイトに送信し、上記電子商取引サイトがクーポンを反映させて決済処理を行うことができるようにするステップとを有するデータ処理方法。
【請求項７】
上記第１の通信手段及び／又は第２の通信手段は、非接触通信手段である請求項６記載のデータ処理方法。
【請求項８】
上記鍵生成手段は、上記クーポン管理手段側に設けられており、上記第１の通信手段よりメモリ識別データを受信したとき、上記クーポン配布鍵データを生成し、
上記クーポン管理手段は、この生成したクーポン配布鍵データを、上記メモリ識別データに関連付けて管理すると共に上記第１の通信手段を介して上記メモリに書き込むようにする請求項６記載のデータ処理方法。
【請求項９】
上記鍵生成手段は、上記表示手段側に設けられており、上記表示手段の鍵生成手段は、上記クーポン配布鍵データを生成し、
上記表示手段の鍵生成手段は、生成したクーポン配布鍵データを上記第１の通信手段を介して上記メモリに書き込むようにし、
上記クーポン管理手段に、上記クーポン配布鍵データと上記メモリ識別データとを関連付けて格納するようにする請求項６記載のデータ処理方法。
【請求項１０】
２つ目以降クーポンを取得するとき、第１の通信手段から、上記メモリより上記メモリ識別データと既に保存されている上記クーポン配布鍵データを読み出し、上記クーポン管理手段に送信しするステップと、
上記クーポン管理手段は、管理している上記メモリ識別データと上記クーポン配布鍵データと、上記第１の通信手段より送信された上記メモリ識別データと上記クーポン配布鍵データとを照合し、一致したとき、上記鍵生成手段で新たに生成したクーポン配布鍵データに更新すると共に上記第１の通信手段を介して上記メモリに格納されている上記クーポン配布鍵データを更新するステップを有する請求項６記載のデータ処理方法。
【発明の詳細な説明】
【技術分野】
【０００１】
本発明は、利用者へ屋外空間等に存在する電子広告からメモリの持つメモリ識別データへ関連付けて配布したクーポンを、広告出稿した電子商取引サイトが正しくクーポン取得したことを認証できるデータ処理システム及びデータ処理方法に関する。
【背景技術】
【０００２】
屋外等の公共のスペースに設置される広告媒体から電子商取引サイトにユーザへ誘導する手段として、クーポンとして特定文字列、すなわちクーポンコードを入力させるといった方法が用いられている。この方法は、その文字列を利用者が入力するという操作が必要で不便である。また、クーポンコードという可視情報は、文字列複製が容易である。通常、利用者がクーポン償還する端末及び電子商取引サイトでの取引に使われるソフトウェアは、電子クーポン運営事業者が製造管理するものではないため公開されたプロトコルを用いて行われる。この際、本来クーポン保持をしていないものが持っているかのように振舞わないよう不正利用を防ぐ仕組みが必要である。
【０００３】
【特許文献１】特開２００６−２３８６４号公報
【発明の開示】
【発明が解決しようとする課題】
【０００４】
本発明は、以上のような問題点に鑑みてなされたものであり、その目的は、利用者へ屋外空間等に存在する電子広告からメモリの持つメモリ識別データへ関連付けて配布したクーポンを、広告出稿した電子商取引サイトが正しくクーポン取得したことを認証できるデータ処理システム及びデータ処理方法を提供することにある。
【課題を解決するための手段】
【０００５】
本発明に係るデータ処理システムは、広告データを表示する表示手段と、上記広告データで告知されたクーポンを配布するとき発行するクーポン配布鍵データを生成する鍵生成手段と、上記表示手段と一体又は上記表示手段の近傍に設けられ、メモリに格納されたメモリ識別データを読み取ると共に、上記鍵生成手段で生成されたクーポン配布鍵データを上記メモリ識別データを読み取ったメモリに書き込む第１の通信手段と、上記第１の通信手段で読み取ったメモリ識別データに上記鍵生成手段で生成したクーポン配布鍵データを関連付けて管理するクーポン管理手段と、上記広告データで広告された商品を購入することができる電子商取引サイトと、上記電子商取引サイトにアクセスできるユーザ端末と、上記ユーザ端末に接続され、上記メモリに格納されている上記メモリ識別データと上記クーポン配布鍵データとを読み出す第２の通信手段とを備える。そして、上記電子商取引サイトにアクセスしているユーザ端末で商品の購入操作が行われたとき、上記ユーザ端末は、上記第２の通信手段で読み出したメモリ識別データとクーポン配布鍵データとを上記クーポン管理手段に送信し、上記クーポン管理手段は、管理している上記メモリ識別データと上記クーポン配布鍵データと、上記ユーザ端末から送信されたメモリ識別データとクーポン配布鍵データとを照合し、一致したとき、上記クーポン保持データを上記電子商取引サイトに送信し、上記電子商取引サイトがクーポンを反映させて決済処理を行うことができるようにする。
【０００６】
本発明に係るデータ処理方法は、広告データを表示手段に表示するステップと、上記広告データで告知されたクーポンを配布するときクーポン配布鍵データを鍵生成手段で生成するステップと、第１の通信手段で、メモリに格納されたメモリ識別データを読み取ると共に上記鍵生成手段で生成されたクーポン配布鍵データを上記メモリ識別データを読み取ったメモリに書き込むステップと、クーポン管理手段に上記第１の通信手段で読み取ったメモリ識別データに上記鍵生成手段で生成したクーポン配布鍵データを関連付けて管理するステップと、電子取引サイトにアクセス可能な上記ユーザ端末に接続された第２の通信手段によって、上記メモリに格納されている上記メモリ識別データと上記クーポン配布鍵データとを読み出すステップと、上記電子商取引サイトにアクセスしているユーザ端末で商品の購入操作が行われたとき、上記ユーザ端末で、上記第２の通信手段で読み出したメモリ識別データとクーポン配布鍵データとを上記クーポン管理手段に送信するステップと、上記クーポン管理手段で、管理している上記メモリ識別データと上記クーポン配布鍵データと、上記ユーザ端末から送信されたメモリ識別データとクーポン配布鍵データとを照合するステップと、管理している上記メモリ識別データと上記クーポン配布鍵データと、上記ユーザ端末から送信されたメモリ識別データとクーポン配布鍵データとが一致したとき、上記クーポン保持データを上記電子商取引サイトに送信し、上記電子商取引サイトがクーポンを反映させて決済処理を行うことができるようにするステップとを有する。
【発明の効果】
【０００７】
本発明によれば、電子商取引サイトにアクセスしているユーザ端末で商品の購入操作が行われたとき、ユーザ端末は、第２の通信手段で読み出したメモリ識別データとクーポン配布鍵データとをクーポン管理手段に送信し、クーポン管理手段は、管理しているメモリ識別データとクーポン配布鍵データと、ユーザ端末から送信されたメモリ識別データとクーポン配布鍵データとを照合し、一致したとき、クーポン保持データを電子商取引サイトに送信し、電子商取引サイトがクーポンを反映させて決済処理を行うことができるようにするので、クーポン配布鍵データがユーザに対して可視情報として現れることが無く、従って、クーポン配布鍵データが他のメモリに不正に複製されることを防止することができる。また、クーポン管理手段では、クーポンの使用時に、管理しているメモリ識別データとクーポン配布鍵データと、ユーザ端末から送信されたメモリ識別データとクーポン配布鍵データとを照合することから、不正なクーポンが使用されることを防止することができる。
【発明を実施するための最良の形態】
【０００８】
以下、本発明を適用したデータ処理システムを図面を参照して説明する。
【０００９】
図１に示すように、本発明が適用されたデータ処理システム１は、例えば屋外といった不特定多数の者が集まる公共の場所に設置され、複数の店舗や商品の広告を動画や静止画で表示する広告表示装置１０と、広告表示装置１０で再生される広告データを出稿する店舗のクーポンを管理するクーポン管理装置２０と、例えば割引のクーポンを使用するユーザが使用するユーザ端末装置３０と、ユーザ端末装置３０でアクセスする電子商取引サイト４０とを備えている。そして、ユーザは、例えば、金銭データがチャージされたＩＣカード５０を所持しており、広告表示装置１０と一体又は近傍に設けられた第１の非接触通信部１３にＩＣカード５０をかざすことによって、クーポンを取得することができる。そして、ユーザは、ユーザ端末装置３０を用いて電子商取引サイト４０にアクセスし、所望の商品を購入するとき、クーポンを取得したＩＣカード５０を、ユーザ端末装置３０と一体又は接続された第２の非接触通信部３５にかざすことによって、クーポンを使用することができ、更に、決済も行うことができる。
【００１０】
ユーザに対して発行されるクーポンは、クーポン管理装置２０によって、正規なクーポンに限って使用できるように管理されている。すなわち、クーポン管理装置２０は、ユーザに対してクーポンを発行するとき、クーポン配布鍵データを発行し、決済時に、ユーザ端末装置３０から送信されたクーポン配布鍵データと照合することによって、ユーザがこれから使用するクーポンの真偽を確認するようにしている。
【００１１】
なお、広告表示装置１０とクーポン管理装置２０とは、例えばＷＡＮ（Wide Area Network）、ＬＡＮ（Local Area Network）と言ったネットワーク２によって接続されており、クーポン管理装置２０とユーザ端末装置３０やユーザ端末装置３０と電子商取引サイト４０とも同様なネットワーク３によって接続されている。また、クーポン管理装置２０と電子商取引サイト４０ともネットワーク２，３と言ったネットワークと接続されていても良いが、ここでは専用線４で接続されている。
【００１２】
そこで、先ず、広告表示装置１０について、図１及び図２を参照して説明する。この広告表示装置１０は、電子クーポン発行事業者によって管理される装置であって、大画面の表示部を使用して、プッシュ型又はプル型の宣伝広告を行うことができるようになっている。具体的に、この広告表示装置１０は、再生する複数の広告データが保存される記憶部１１と、記憶部１１に保存されている広告データを順次再生する表示部１２と、ＩＣカード５０と通信を行う第１の非接触通信部１３と、例えばクーポンを取得するための操作を行うための操作部１４と、クーポン管理装置２０とネットワーク２を介して通信を行う通信部１５と、全体の動作を制御する制御部１６とを備えている。
【００１３】
記憶部１１は、例えば大容量ハードディスクで構成されており、複数の広告データが保存されている。ここで保存される広告データは、例えば飲料水、菓子といった商品の宣伝広告である。広告データでは、更に、広告対象の商品を購入するに当たってのクーポンを取得できる旨が含まれている。
【００１４】
表示部１２は、大画面スクリーンを備えており、ＬＣＤ（Liquid Crystal Display）、ＣＲＴ（Cathode Ray Tube）等で構成されている。なお、この表示部１２は、操作部１４と併せてタッチパネルで構成しても良い。また、操作部１５は、押しボタン、十字キー等で構成されており、例えば表示部１２に表示された所定の広告データを見てクーポンを取得するための操作を行うことができるようになっている。
【００１５】
第１の非接触通信部１３は、ＩＣカード３との間でＲＦＩＤ（Radio Frequency Identification System）、ＮＦＣ（Near Field Communication）等の短距離又は近距離の非接触無線通信でＩＣカード５０と通信を行う。ここで、ＩＣカード５０は、図２に示すように、第１の非接触通信部１３と通信を行うためのカード側非接触通信部５１と、各種情報を格納するメモリ５２とを備えている。ＩＣカード５０は、メモリ５２に、ＩＣカード５０の固有のカード識別データＩＤ等の管理データを格納しており、これらの管理データのやり取りをカード側非接触通信部５１を介して第１の非接触通信部１３と行うことができるようになっている。具体的に、広告表示装置１０側の第１の非接触通信部１３、ＩＣカード５０側のカード側非接触通信部５１のそれぞれは、アンテナコイルを有しており、各々のアンテナコイルが誘導結合によって磁気的に結合し、ＩＣカードとリーダライタとの間で非接触データ通信を行う。第１の非接触通信部１３は、ＩＣカード５０がかざされると、ＩＣカード５０と通信を行うことによって、ＩＣカード５０のメモリ５２に格納されているＩＣカード５０のメモリ識別データＩＤを取得する。また、第１の非接触通信部１３は、ＩＣカード５０のメモリ５２に対してクーポン配布鍵データを格納する。
【００１６】
通信部１５は、クーポン管理装置２０との間でネットワーク２を介してデータのやり取りを行う。具体的に、通信部１５は、クーポン管理装置２０に対して第１の非接触通信部１３で読み出したＩＣカード５０のメモリ識別データＩＤを送信すると共に、クーポン管理装置２０から送信されたクーポン配布鍵データを受信する。
【００１７】
ユーザに対して発行するクーポンを管理するクーポン管理装置２０は、図３に示すように、大容量ハードディスク等の記憶手段に構築されたデータベース２１と、全体の動作を制御すると共にデータベース２１にアクセスして検索を行う制御部２２と、ユーザに対してクーポンを発行するときに認証用のクーポン配布鍵データＣＤを生成する鍵生成部２３と、広告表示装置１０、ユーザ端末装置３０、電子商取引サイト４０と通信を行う通信部２４と、発行したクーポンを確認するための各種ウェブページが格納された記憶部２５とを備えている。
【００１８】
データベース２１は、ＩＣカード５０のそれぞれに割り振られているメモリ識別データＩＤとクーポン、すなわちクーポンの内容と、ユーザに対して発行されたクーポンに対して生成されるクーポン配布鍵データＣＤとを互いに関連付けて管理している。例えば、メモリ識別データＩＤ「0001-0002-0003-0004」には、Ａ商品１００円引きのクーポンと、クーポン配布鍵データＣＤ「123456789」が関連付けられている。
【００１９】
鍵生成部２３は、クーポン配布鍵データＣＤを一定規則又はランダムに生成する。このクーポン配布鍵データＣＤは、データベース２１に格納される他、ＩＣカード５０のメモリ５２にも格納される。
【００２０】
すなわち、ユーザが広告データを見てクーポンの取得のため広告表示装置１０の第１の非接触通信部１３に自分のＩＣカード５０をかざすと、クーポン管理装置２０の通信部２４には、ネットワーク２を介して、発行を希望するクーポンの識別データと共に使用されたＩＣカード５０のメモリ５２に格納されているメモリ識別データＩＤが送信される。すると、制御部２２は、受信したメモリ識別データＩＤを、クーポンの識別データ、すなわちクーポンの内容と関連付けてデータベース２１に格納する。これと共に、鍵生成部２３は、クーポン配布鍵データＣＤを生成して、制御部２２は、生成されたクーポン配布鍵データＣＤをメモリ識別データＩＤに関連付けてデータベース２１に格納する。また、制御部２２は、生成したクーポン配布鍵データＣＤを通信部２４より広告表示装置１０に送信し、第１の非接触通信部１３にかざされているＩＣカード５０のメモリ５２に格納するようにする。
【００２１】
なお、クーポン管理装置２０は、広告表示装置１０の第１の非接触通信部１３にかざされているＩＣカード５０にクーポン配布鍵データＣＤを格納するに当たって、他に、取得したクーポンを使用することができる電子商取引サイト４０のＵＲＬ（Uniform Resource Locator）等のアドレスデータもＩＣカード５０に格納するようにしても良い。これにより、ユーザは、ユーザ端末装置３０で電子商取引サイト４０にアクセスする際ＵＲＬを入力する手間を省くことができる。
【００２２】
また、クーポン管理装置２０は、ユーザが取得したクーポンで商品を購入しようとする際にユーザ端末装置３０からメモリ識別データＩＤとクーポン配布鍵データＣＤとが送信されると、通信部２４で受信する。制御部３４は、データベース２１にアクセスしてユーザ端末装置３０から送信されたメモリ識別データＩＤがあるかどうか判断し、メモリ識別データＩＤあるとき、更に、データベース２１のメモリ識別データＩＤに関連付いたクーポン配布鍵データＣＤがユーザ端末装置３０から送信されたクーポン配布鍵データＣＤと一致するかどうかを照合する。そして、制御部２２は、一致したとき、ユーザ端末装置３０から送信されたクーポン配布鍵データＣＤが不正に複写されたものではなく正規なものであるとして、承認データとなるクーポン保持通知を、電子商取引サイト４０とユーザ端末装置３０に送信する。
【００２３】
また、クーポン管理装置２０は、ユーザが自らが保持するクーポンの数や内容を確認するためユーザ端末装置３０でアクセスしたとき、制御部３４がデータベース２１にアクセスしてユーザ端末装置３０から送信されたメモリ識別データＩＤに関連付いたクーポン配布鍵データＣＤが一致するか判断し、一致したとき、記憶部２５からユーザ端末装置３０に対してそのユーザが保持するクーポンの内容等の一覧ページを送信する。なお、ユーザ端末装置３０への報告は、ウェブページではなく電子メールを用いて行うようにしても良い。
【００２４】
ＩＣカード５０にクーポン配布鍵データＣＤが格納されると、ユーザは、クーポンを使用するに当たってユーザ端末装置３０を用いて電子商取引サイト４０にアクセスする。ここで、ユーザ端末装置３０は、通常のデスクトップ型又はノート型のパーソナルコンピュータ、携帯型情報処理装置等であって、図４に示すように、ＬＣＤ、ＣＲＴと言った表示部３１と、キーボード、マウス、テンキーと言った操作部３２と、クーポン管理装置２０や電子商取引サイト４０とネットワーク３を介してデータのやり取りを行う通信部３３と、全体の動作を制御する制御部３４とを備えている。また、ユーザ端末装置３０は、ＩＣカード５０と通信を行う第２の非接触通信部３５を備えている。
【００２５】
このユーザ端末装置３０では、所定のＵＲＬ等を入力することによってネットワーク３を介して電子商取引サイト４０等にアクセスし、ホームページを閲覧することができる。具体的に、ユーザは、広告表示装置１０で取得したクーポンを使用するとき、ネットワーク３を介して電子商取引サイト４０にアクセスし、取得しているクーポンに関連した商品のウェブページを閲覧することができる。
【００２６】
第２の非接触通信部３５は、上述した広告表示装置１０の第１の非接触通信部１３と同様の構成を有するものであって、ユーザ端末装置３０に内蔵され又は外部接続されている。ユーザがユーザ端末装置３０で閲覧しているホームページで商品を購入しようとするとき、クーポンを使用するためＩＣカード５０を第２の非接触通信部３５にかざすと、第２の非接触通信部３５は、ＩＣカード５０のメモリ５２からメモリ識別データＩＤと共にクーポン配布鍵データＣＤを読み出す。すると、制御部３４は、ＩＣカード５０に格納されているクーポン配布鍵データＣＤの承認のため、第２の非接触通信部３５で読み出したメモリ識別データＩＤとクーポン配布鍵データＣＤとを通信部３４からネットワーク３を介してクーポン管理装置２０に送信する。そして、ユーザ端末装置３０は表示部３１に承認結果を表示し、ユーザに結果を知らせるようにする。
【００２７】
なお、ＩＣカード５０のメモリ５２に、クーポン配布鍵データＣＤに加え、そのクーポンの対象となる商品のＵＲＬが格納されているとき、最初に、第２の非接触通信部３５にＩＣカード５０をかざしメモリ５２のＵＲＬを読み出すことで、操作部３２でＵＲＬを入力することなく、電子商取引サイト４０のクーポン対象品のウェブページにアクセスできるようにしても良い。
【００２８】
ユーザ端末装置３０がアクセスする電子商取引サイト４０は、例えば通常のサーバ装置であって、図５に示すように、商品を購入するためのウェブページ、決済のためのウェブページ等で構成された電子商取引ページが格納された大容量のハードディスク等で構成された記憶部４１と、ユーザ端末装置３０からの要求に応じて所定のウェブページを記憶部４１より読み出し、ユーザ端末装置３０に送信する制御部４２と、クーポン管理装置２０やユーザ端末装置３０とネットワーク３を介して通信を行うための通信部４３とを備えている。更に、ユーザが商品を購入する際の決済システム４４を備えている。なお、決済システム４４は、電子商取引サイト４０と別サイトに設けられていても良い。
【００２９】
この電子商取引サイト４０は、例えば仮想のショッピングモールを構成しており、電子商取引サイト運営事業者が管理し、仮想店舗が出店複数の商品を販売できるようになっている。ここでの仮想店舗の店舗主が広告表示装置１０で再生される広告データの広告主となっている。そして、電子商取引サイト４０は、ユーザ端末装置３０の要求に応じて所定の商品のウェブページを送信する。
【００３０】
また、クーポン対象品の購入コマンドを通信部４３で受信したとき、制御部４２は、決済システム４４にアクセスし、決済処理を行う。具体的に、制御部４２は、商品の購入時に、ユーザ端末装置３０がクーポン管理装置２０に送信したクーポン配布鍵データＣＤの承認データを通信部４３で受信しているとき、定価に割引のクーポンを適用してユーザに対する決済処理を行う。また、クーポン配布鍵データＣＤが承認されなかったときには、定価での決済処理を行う。すなわち、決済システム４４は、デビットカード決済のとき、銀行システムにアクセスし、決済処理を行い、クレジットカード決済のとき、クレジットカード会社システムにアクセスし決済処理を行う。更に、ＩＣカード５０にチャージされている金銭で決済を行うとき、ＩＣカード５０の金額データを購入分減額する処理を行うと共にＩＣカード５０の管理システムに決済データを送信する。
【００３１】
次に、以上のように構成されたデータ処理システム１において、ユーザが広告表示装置１０で自分が所有するＩＣカード５０にクーポンを取得するまでの一連の処理手順について図６を参照して説明する。
【００３２】
ユーザは広告表示装置１０で再生される広告データを視聴し、気に入った広告データを見付けクーポンを取得するとき、先ず、広告表示装置１０の操作部１４を操作することによって、表示部１２にクーポン取得画面を表示し、第１の非接触通信部１３にＩＣカード５０をかざすことを促す。ユーザが第１の非接触通信部１３にＩＣカード５０をかざすと、ステップＳ１において、第１の非接触通信部１３は、ＩＣカード５０のメモリ５２の所定ブロックにアクセスして、ＩＣカード５０固有の識別データ、すなわちメモリ識別データＩＤを読み出す。ステップＳ２において、広告表示装置１０の制御部１６は、ＩＣカード５０より読み出したメモリ識別データＩＤを、通信部１５よりネットワーク２を介してクーポン管理装置２０に送信する。なお、広告表示装置１０は、メモリ識別データＩＤと共に、ユーザが希望するクーポンの識別データをクーポン管理装置２０に送信するようにしても良い。
【００３３】
クーポン管理装置２０の制御部２２は、通信部２４で広告表示装置１０からネットワーク２を介して送信されたメモリ識別データＩＤを受信すると、ステップＳ３において、受信したメモリ識別データＩＤに関連付けるクーポン配布鍵データＣＤを鍵生成部２３で生成する。次いで、ステップＳ４において、制御部２２は、通信部２４で受信したメモリ識別データＩＤを、鍵生成部２３で生成したクーポン配布鍵データＣＤと関連付けてデータベース２１に格納する。ここで、更に、クーポンの内容や例えばクーポンの内容と具体的に関連付いたクーポンの識別データを関連付けてデータベースに保存する。そして、ステップＳ５において、制御部２２は、通信部２４よりネットワーク２を介して鍵生成部２３で生成したクーポン配布鍵データＣＤを広告表示装置１０に送信する。
【００３４】
広告表示装置１０の制御部１６は、通信部１５でクーポン管理装置２０から送信されたクーポン配布鍵データＣＤを受信すると、ステップＳ６において、第１の非接触通信部１３にかざされているＩＣカード５０に書き込む。具体的に、制御部１６は、第１の非接触通信部１３を介してＩＣカード５０の所定ブロックにクーポン配布鍵データＣＤを格納する。
【００３５】
かくして、ユーザは、所望の商品のクーポンを取得できる。以上のようなＩＣカード５０を用いたクーポンの取得方法では、クーポン配布鍵データＣＤが常に電子データで存在し、ユーザに視認されることはないことから、本来の所有者とは異なる第三者、すなわち不正にクーポンを取得した第三者がクーポンを使用することを防止することができる。
【００３６】
ところで、ユーザが取得したクーポンを使用する前に更なるクーポンを取得する場合がある。すなわち、ユーザが複数のクーポンを取得する場合がある。この場合、データ処理システム１は、図７に示すように処理を行う。
【００３７】
すなわち、ユーザが第１の非接触通信部１３にＩＣカード５０をかざすと、ステップＳ１１において、第１の非接触通信部１３は、ＩＣカード５０のメモリ５２の所定ブロックにアクセスして、メモリ識別データＩＤ及びクーポン配布鍵データＣＤを読み出す。ステップＳ１２において、広告表示装置１０の制御部１６は、ＩＣカード５０より読み出したメモリ識別データＩＤ及びクーポン配布鍵データＣＤを、通信部１５よりネットワーク２を介してクーポン管理装置２０に送信する。
【００３８】
クーポン管理装置２０の制御部２２は、通信部２４で広告表示装置１０からネットワーク２を介して送信されたメモリ識別データＩＤ及びクーポン配布鍵データＣＤを受信すると、ステップＳ１３において、データベース２１にアクセスし、受信したメモリ識別データＩＤと一致するメモリ識別データＩＤを検索し、検索したクーポン配布鍵データＣＤと受信したクーポン配布鍵データＣＤとが一致するかどうかを判断する。そして、制御部２２は、クーポン配布鍵データＣＤが一致するとき、ステップＳ１３に進み、一致しないとき、ログアウトする。クーポン配布鍵データＣＤが一致するとき、制御部２２は、ステップＳ１４において、新たに、メモリ識別データＩＤに関連付けるクーポン配布鍵データＣＤを鍵生成部２３で生成する。そして、ステップＳ１５において、制御部２２は、データベース２１で、受信したメモリ識別データＩＤと関連付いているクーポン配布鍵データＣＤを、新たに生成したクーポン配布鍵データＣＤに更新する。このとき、メモリ識別データＩＤには、今回ユーザか希望したクーポンを関連付ける。すなわち、データベース２１では、複数のクーポンが発行されるとき、互いに関連付いたメモリ識別データＩＤとクーポン配布鍵データＣＤに対して複数のクーポンが関連付けられることになる。ステップＳ１６において、制御部２２は、通信部２４よりネットワーク２を介して鍵生成部２３で新たに生成したクーポン配布鍵データＣＤを広告表示装置１０に送信する。
【００３９】
広告表示装置１０の制御部１６は、通信部１３でクーポン管理装置２０から送信されたクーポン配布鍵データＣＤを受信すると、ステップＳ１７において、第１の非接触通信部１３にかざされているＩＣカード５０に書き込む。具体的に、制御部１６は、第１の非接触通信部１３を介してＩＣカード５０の所定ブロックに、現在格納されているクーポン配布鍵データＣＤを、今回新たに発行されたクーポン配布鍵データＣＤに更新する。
【００４０】
かくして、ユーザは、複数枚のクーポンを取得することができる。ここで、クーポン管理装置２０は、ステップＳ１３において、既にユーザのＩＣカード５０に対して発行しており、データベース２１で管理しているメモリ識別データＩＤと関連付けられたクーポン配布鍵データＣＤが、クーポン使用前、すなわち商品購入前において、一致するか照合するようにしている。これによって、不心得者が例えば自分のＩＣカード５０にクーポン配布鍵データＣＤを複写して不正使用することを防止することができる。
【００４１】
次に、以上のようにしてクーポンを取得したユーザが、電子商取引サイト４０で所望の商品をクーポンを使用して購入する際の処理手順を図８を参照して説明する。
【００４２】
先ず、ユーザは、自宅等に設置されているユーザ端末装置３０を用いて電子商取引サイト４０にアクセスする。具体的に、ユーザ端末装置３０の制御部３４は、ステップＳ２１において、操作部３２によって所定のＵＲＬが入力されると、通信部３３よりネットワーク３を介して電子商取引サイト４０にアクセスし、所望の商品を購入するための複数のウェブページで構成された電子商取引ページを表示部３１に表示する。なお、ＩＣカード５０に電子商取引サイト４０のＵＲＬが格納されているときには、第２の非接触通信部３５でそのＵＲＬを読み出して、ユーザ端末装置３０で電子商取引サイト４０にアクセスするようにしても良い。
【００４３】
ステップＳ２２において、ユーザが取得したクーポンを使用するため、第２の非接触通信部３５にＩＣカード５０をかざすと、第２の非接触通信部３５は、ＩＣカード５０のメモリ５２の所定ブロックにアクセスして、メモリ識別データＩＤ及びクーポン配布鍵データＣＤを読み出す。ステップＳ２３において、ユーザ端末装置３０の制御部３４は、第２の非接触通信部３５で読み出したメモリ識別データＩＤ及びクーポン配布鍵データＣＤを通信部３３よりネットワーク３を介してクーポン管理装置２０に送信する。
【００４４】
クーポン管理装置２０の制御部２２は、通信部２４でユーザ端末装置３０からネットワーク２を介して送信されたメモリ識別データＩＤ及びクーポン配布鍵データＣＤを受信すると、ステップＳ２４において、データベース２１にアクセスし、受信したメモリ識別データＩＤと一致するメモリ識別データＩＤを検索し、検索したクーポン配布鍵データＣＤとユーザ端末装置３０から送信されたクーポン配布鍵データＣＤとが一致するかどうかを判断する。そして、制御部２２は、クーポン配布鍵データＣＤが一致するとき、ステップＳ２５において、ユーザ端末装置３０を操作したユーザがクーポンを保持している旨のクーポン保持通知をネットワーク３を介して電子商取引サイト４０及びユーザ端末装置３０に送信し、不一致のとき、ステップＳ２６において、ユーザ端末装置３０を操作したユーザがクーポンを保持していない旨のクーポン無し通知ネットワーク３を介して電子商取引サイト４０及びユーザ端末装置３０に送信する。かくして、ユーザは、現在、クーポンを保持しているかどうかを知ることができる。
【００４５】
ユーザは、クーポンを保持しているかを確認している最中やその後においても、ユーザ端末装置３０を用いて電子商取引サイト４０にアクセスし、検索等を行うことによって所望の商品を見つけ出すことができる。そして、所望の商品の購入を行うとき、ユーザがクレジットカード決済を行うか、デビットカード決済を行うか、ＩＣカード５０で決済を行うか、更に、クーポンを使用するクーポン利用要求と言った決済データを操作部３２によって入力すると、ユーザ端末装置３０の制御部３４は、ステップＳ２７において、通信部３５よりネットワーク３を介して電子商取引サイト４０に決済データを送信する。電子商取引サイト４０は、通信部４３で決済データを受信すると、ステップＳ２８において、決済システム４４で決済処理を行う。この決済処理の中で、電子商取引サイト４０の制御部４２は、ステップＳ２９において、クーポン管理装置２０に対して決済データに含まれているクーポン利用要求を送信する。
【００４６】
クーポン管理装置２０の制御部２２は、通信部２４でクーポン利用要求を受信すると、ステップＳ３０において、ユーザによって使用されたクーポンを使用済みにするようにデータベース２１の更新を行う。そして、制御部２２は、ステップＳ３１において、通信部２４よりユーザによって使用されたクーポンを使用済みにしたことをユーザ及び電子商取引サイト４０に知らせるためのクーポン処理通知を電子商取引サイト４０に送信する。ここで、電子商取引サイト４０の決済システム４４は、クーポンを適用してユーザに対する課金データを生成し、クレジットカードシステムや銀行システム等に生成した課金データを送信し決済処理を終了する。そして、電子商取引サイト４０の制御部４２は、ステップＳ３２において、ネットワーク３を介して通信部４３よりユーザ端末装置３０に対して決済完了通知を送信する。
【００４７】
ユーザ端末装置３０の制御部３４は、通信部３３で決済完了通知を受信すると、表示部３１にこれを表示してユーザに知らせる。そして、制御部３４は、ステップＳ３３において、第２の非接触通信部３５を介してＩＣカード５０のクーポン配布鍵データＣＤを削除する等更新処理を行う。
【００４８】
以上のような処理では、ユーザがクーポンを取得してから使用するまでの間、クーポン配布鍵データＣＤが常に電子データで存在し、ユーザに視認されることはないことから、本来の所有者とは異なる第三者、すなわち不正にクーポンを取得した第三者がクーポンを使用することを防止することができる。また、クーポン管理装置２０は、ステップＳ２４において、データベース２１で管理しているメモリ識別データＩＤと関連付けられたクーポン配布鍵データＣＤが、クーポン使用時、すなわち商品購入時において、一致するか照合するようにしている。これによって、不心得者が例えば自分のＩＣカード５０にクーポン配布鍵データＣＤを複写して不正使用することを防止することができる。
【００４９】
ところで、以上のようにクーポンを利用して所望の商品を購入する前又は購入の際には、自らが保持しているクーポンの数や内容を確認したい場合がある。この場合、図９に示す処理手順に従ってユーザは、自らが保持するクーポンを確認することができる。
【００５０】
先ず、ユーザは、自宅等に設置されているユーザ端末装置３０を用いてクーポン管理装置２０にアクセスする。具体的に、第２の非接触通信部３５にＩＣカード５０をかざすと、第２の非接触通信部３５は、ステップＳ４１において、ＩＣカード５０のメモリ５２の所定ブロックにアクセスして、メモリ識別データＩＤ及びクーポン配布鍵データＣＤを読み出す。ステップＳ４２において、ユーザ端末装置３０の制御部３４は、第２の非接触通信部３５で読み出したメモリ識別データＩＤ及びクーポン配布鍵データＣＤを通信部３３よりネットワーク３を介してクーポン管理装置２０に送信する。
【００５１】
クーポン管理装置２０の制御部２２は、通信部２４でユーザ端末装置３０からネットワーク２を介して送信されたメモリ識別データＩＤ及びクーポン配布鍵データＣＤを受信すると、ステップＳ４３において、データベース２１にアクセスし、受信したメモリ識別データＩＤと一致するメモリ識別データＩＤを検索し、検索したクーポン配布鍵データＣＤとユーザ端末装置３０から送信されたクーポン配布鍵データＣＤとが一致するかどうかを判断する。そして、制御部２２は、クーポン配布鍵データＣＤが一致するとき、ステップＳ４４において、ユーザ端末装置３０を操作したユーザが保持しているクーポンの内容や数を示すウェブページをユーザ端末装置３０に送信し、ユーザ端末装置３０の表示部３１でユーザがその内容を確認することができるようにする。また、制御部２２は、クーポン配布鍵データＣＤが不一致のとき、ステップＳ４５において、ユーザ端末装置３０を操作したユーザがクーポンを保持していない旨のウェブページをユーザ端末装置３０に送信し、ユーザ端末装置３０の表示部３１でユーザがその内容を確認することができるようにする。また、ステップＳ４４及びステップＳ４５において、ユーザ端末装置３０で表示されるウェブページの中では、ユーザが電子商取引サイト４０に誘導できるように、ハイパーリンク等を設けるようにする。
【００５２】
そして、ユーザ端末装置３０の制御部３４は、ステップＳ４６において、操作部３２によって所定のＵＲＬが入力されると、又は、クーポン確認のウェブページで設けられたハイパーリンクをクリックすると、通信部３３よりネットワーク３を介して電子商取引サイト４０にアクセスし、所望の商品を購入するための複数のウェブページで構成された電子商取引ページを表示部３１に表示する。
【００５３】
以上のような処理によれば、ユーザは、自らが保持するクーポンの内容を確認してから連続して電子商取引サイト４０に容易にアクセスできるようになる。
【００５４】
ところで、以上説明したデータ処理システム１では、図３及び図６に示すように、クーポン管理装置２０に鍵生成部１３を設け、鍵生成部１３で生成したクーポン配布鍵データＣＤを広告表示装置１０に送信し、第１の非接触通信部１３によってＩＣカード５０のメモリ５２にクーポン配布鍵データＣＤを格納するようにしたが、本発明では、図１０に示すように、クーポン管理装置２０に鍵生成部２３を設けず、この鍵生成部２３に代わる鍵生成部１７を広告表示装置１０に設けるようにしても良い。
【００５５】
この場合、図１１に示すように、ユーザは広告表示装置１０で再生される広告データを視聴し、気に入った広告データを見付けクーポンを取得するとき、先ず、広告表示装置１０の操作部１４を操作することによって、表示部１２にクーポン取得画面を表示し、第１の非接触通信部１３にＩＣカード５０をかざすことを促す。ユーザが第１の非接触通信部１３にＩＣカード５０をかざすと、ステップＳ５１において、第１の非接触通信部１３は、ＩＣカード５０のメモリ５２の所定ブロックにアクセスして、ＩＣカード５０固有の識別データ、すなわちメモリ識別データＩＤを読み出す。ステップＳ５２において、広告表示装置１０の鍵生成部１７は、メモリ識別データＩＤに関連付けるクーポン配布鍵データＣＤを鍵生成部２３で生成する。ステップＳ５３において、広告表示装置１０は、第１の非接触通信部１３を介してＩＣカード５０のメモリ５２に、鍵生成部１７で生成したクーポン配布鍵データＣＤを格納する。ステップＳ５４において、広告表示装置１０は、通信部１５よりネットワーク２を介してＩＣカード５０より読み出したメモリ識別データＩＤ及び生成したクーポン配布鍵データＣＤをクーポン管理装置２０に送信する。
【００５６】
クーポン管理装置２０の制御部２２は、通信部２４で広告表示装置１０からネットワーク２を介して送信されたメモリ識別データＩＤ及びクーポン配布鍵データＣＤを受信すると、ステップＳ５５において、通信部２４で受信したメモリ識別データＩＤをクーポン配布鍵データＣＤと関連付けてデータベース２１に格納し、発行したクーポンを管理するようにする。
【００５７】
なお、図７のように、複数枚のクーポンを取得する場合は、クーポン配布鍵データＣＤの照合をクーポン管理装置２０で行った後、広告表示装置１０の鍵生成部１７で新たなクーポン配布鍵データＣＤを生成し、この新たに生成したクーポン配布鍵データＣＤをクーポン管理装置２０に送信し、データベース２１を更新するようにすれば良い。また、なお、ＩＣカード５０にクーポン配布鍵データＣＤを格納した後は、図８や図９の処理に従って処理される。
【００５８】
以上のような例によっても、図６の場合と同様、ユーザは、所望の商品のクーポンを取得できる。そして、このようなＩＣカード５０を用いたクーポンの取得方法によっても、クーポン配布鍵データＣＤが常に電子データで存在し、ユーザに視認されることはないことから、本来の所有者とは異なる第三者、すなわち不正にクーポンを取得した第三者がクーポンを使用することを防止することができる。
【００５９】
なお、以上の例では、ユーザが携帯する可搬性のメモリとして、ＩＣカード５０を例に取り説明したが、本発明でのメモリとしては、この他、ＩＣカード５０の機能を備えた携帯電話等の携帯型電子機器であっても良い。また、接触型通信のＩＣカードであっても良い。
【図面の簡単な説明】
【００６０】
【図１】本発明を適用したデータ処理システムの構成を示す図である。
【図２】上記データ処理システムを構成する広告表示装置のブロック図である。
【図３】上記データ処理システムを構成するクーポン管理装置のブロック図である。
【図４】上記データ処理システムを構成するユーザ端末装置のブロック図である。
【図５】上記データ処理システムを構成する電子商取引サイトのブロック図である。
【図６】クーポン取得までの一連の処理手順を示すフローチャートである。
【図７】複数のクーポンを取得する際の一連の処理手順を示すフローチャートである。
【図８】クーポンを商品購入時に使用する際の一連の処理手順を示すフローチャートである。
【図９】自らが取得しているクーポンの内容を確認する際の一連の処理手順を示すフローチャートである。
【図１０】本発明の変形例であって、鍵生成部が設けられた広告表示装置のブロック図である。
【図１１】広告表示装置でクーポン配布鍵データを生成する場合の処理手順を示すフローチャートである。
【符号の説明】
【００６１】
１ データ処理システム、２，３ ネットワーク、１０ 広告表示装置、２０ クーポン管理装置、３０ ユーザ端末装置、４０ 電子商取引サイト、５０ ＩＣカード
【図１】
2008102718.tif 000003
【図２】
2008102718.tif 000004
【図３】
2008102718.tif 000005
【図４】
2008102718.tif 000006
【図５】
2008102718.tif 000007
【図６】
2008102718.tif 000008
【図７】
2008102718.tif 000009
【図８】
2008102718.tif 000010
【図９】
2008102718.tif 000011
【図１０】
2008102718.tif 000012
【図１１】
2008102718.tif 000013